(57)【要約】【課題】  ユーザーがキー入力することにより、データベースから所望のファイルを効率よく検索する。【解決手段】  入力したキー情報に基づいて該当ファイルを抽出する初期検索手段（ステップＳ１〜Ｓ６，Ｓ８，Ｓ９）と、該初期検索手段で該当ファイルを抽出したときに、当該キー情報とは無関係な複数項目について関連性評価指数を作成する関連性評価指数作成手段（ステップＳ７）と、該関連性評価指数作成手段で作成した関連性評価指数を、抽出したキー情報を含む文字列と共に表示する表示手段（ステップＳ１０）と、該表示手段で表示された関連性評価指数を指定する関連性評価指数指定手段（ステップＳ１６）と、該関連性評価指数指定手段で指定された関連性評価指数を関連性検索キーとして検索を行う関連性検索キー検索手段（ステップＳ１８）とを備えている。【選択図】  図１
2005293165.tif 000002
【特許請求の範囲】
【請求項１】
入力したキー情報に基づいて登録ファイルを検索して、当該キー情報が含まれるファイルを抽出するようにしたファイル検索装置において、
前記入力したキー情報に基づいて該当ファイルを抽出する初期検索手段と、該初期検索手段で該当ファイルを抽出したときに、当該キー情報とは無関係な複数項目について関連性評価指数を作成する関連性評価指数作成手段と、該関連性評価指数作成手段で作成した関連性評価指数を、抽出したキー情報を含む文字列と共に表示する表示手段と、該表示手段で表示された関連性評価指数を指定する関連性評価指数指定手段と、該関連性評価指数指定手段で指定された関連性評価指数を関連性検索キーとして検索を行う関連性検索キー検索手段とを備えていることを特徴とするファイル検索装置。
【請求項２】
前記複数項目は、ファイル中に使用されている文字列の使用頻度、頁番号、ファイル種類、登録年月日の４つのうちの少なくとも１つが設定されていることを特徴とする請求項１に記載のファイル検索装置。
【請求項３】
初期検索手段は、時系列的に登録されたファイルを自己相関関数が零となる乱数を用いて初期検索順序を設定し、数回検索を繰り返した結果により、関連性評価指数の高い順にソートするように構成されていることを特徴とする請求項１又は２に記載のファイル検索装置。
【請求項４】
入力したキー情報に基づいて登録ファイルを検索して、当該キー情報が含まれるファイルを抽出するようにしたファイル検索方法において、
前記入力したキー情報に基づいて該当ファイルを抽出するステップと、該当ファイルを抽出したときに、当該キー情報とは無関係な複数項目について関連性評価指数を作成するステップと、作成した関連性評価指数を抽出したキー情報を含む文字列と共に表示するステップと、表示された関連性評価指数を指定するステップと、指定された関連性評価指数を関連性検索キーとして検索を行うステップとを備えていることを特徴とするファイル検索方法。
【発明の詳細な説明】
【技術分野】
【０００１】
本発明は、入力したキー情報に基づいて登録ファイルを検索して、当該キー情報が含まれるファイルを抽出するようにファイル検索装置及びその方法に関する。
【背景技術】
【０００２】
従来のファイル検索装置としては、例えばキーワードとこのキーワードを含む文書とを対応づけるとともに、キーワードの参照回数を登録するインデックスデータをキーワードデータベースファイルとして外部記憶装置に保持し、゛所定量のインデックスデータを参照回数が多い順に選択してＲＡＭに展開し、ＲＡＭ上のインデックスデータを優先的に参照して、全文検索を行い、さらに検索されたインデックスデータの参照回数は１つインクリメントされ、またＲＡＭの展開処理の実行から検索処理が所定期間を超えて引き続き稼働した場合はＲＡＭの内容をバックグランド処理によって更新するようにした全文検索装置及びその方法が知られている（例えば、特許文献１参照）。
【特許文献１】特開平１１−３１１４８号公報（第１頁、図２）
【発明の開示】
【発明が解決しようとする課題】
【０００３】
しかしながら、上記特許文献１に記載された従来例にあっては、データベース登録の際にインデックスデータを作成することにより高速化を図っているが、特定要素技術の資産管理等を行う場合にページ単位で登録されるデータベースにおいては、登録するデータファイルの修正、追加が行われたり、ユーザーによる使用頻度が少なく、検索作業そのものを分担して行う場合があったりして、必ずしも、過去の検索時の情報が高速化につながるとは限らないという未解決の課題がある。また、ユーザーが検索対象として、所望するファイルの検索時に、情報として表示したいファイル群の一部修正個所に、該当するキーが無い場合に検索が行えず、修正後のファイルに該当するキーがあった場合においても、ユーザーに表示される検索結果は、修正ファイルと残りの関連ファイル群との表示が登録されている計算機内部の構成や時系列によっては、ユーザーに対して分割表示されてしまうことが多く、本来のユーザーの所望する対象ファイル群として情報を取り出しにくいという未解決の課題もある。
そこで、本発明は、上記従来例の未解決の課題に着目してなされたものであり、ユーザーがキー入力することにより、所望のファイルを効率よく検索することができるファイル検索装置及びその方法を提供することを目的としている。
【課題を解決するための手段】
【０００４】
上記目的を達成するために、請求項１に係るファイル検索装置は、入力したキー情報に基づいて登録ファイルを検索して、当該キー情報が含まれるファイルを抽出するようにしたファイル検索装置において、前記入力したキー情報に基づいて該当ファイルを抽出する初期検索手段と、該初期検索手段で該当ファイルを抽出したときに、当該キー情報とは無関係な複数項目について関連性評価指数を作成する関連性評価指数作成手段と、該関連性評価指数作成手段で作成した関連性評価指数を、抽出したキー情報を含む文字列と共に表示する表示手段と、該表示手段で表示された関連性評価指数を指定する関連性評価指数指定手段と、該関連性評価指数指定手段で指定された関連性評価指数を関連性検索キーとして検索を行う関連性検索キー検索手段とを備えていることを特徴としている。
【０００５】
また、請求項２に係るファイル検索装置は、請求項１に係る発明において、前記複数項目が、ファイル中に使用されている文字列の使用頻度、頁番号、ファイル種類、登録年月日の４つのうちの少なくとも１つが設定されていることを特徴としている。
さらに、請求項３に係るファイル検索装置は、請求項１又は２に係る発明において、前記初期検索手段が、時系列的に登録されたファイルを自己相関関数が零となる乱数を用いて初期検索順序を設定し、数回検索を繰り返した結果により、関連性評価指数の高い順にソートするように構成されていることを特徴としている。
【０００６】
さらにまた、請求項４に係るファイル検索方法は、入力したキー情報に基づいて登録ファイルを検索して、当該キー情報が含まれるファイルを抽出するようにしたファイル検索方法において、前記入力したキー情報に基づいて該当ファイルを抽出するステップと、該当ファイルを抽出したときに、当該キー情報とは無関係な複数項目について関連性評価指数を作成するステップと、作成した関連性評価指数を抽出したキー情報を含む文字列と共に表示するステップと、表示された関連性評価指数を指定するステップと、指定された関連性評価指数を関連性検索キーとして検索を行うステップとを備えていることを特徴としている。
【発明の効果】
【０００７】
請求項１又は４に係る発明によれば、キー情報を入力してこのキー情報を含むファイルが抽出されたときに、抽出されたファイルに含まれている文字列の使用頻度、頁番号、ファイル種類、登録年月日等の関連性評価指数を作成し、作成した関連性評価指数を抽出したファイル名と共に表示し、表示された関連性指数を指定して、これを関連性検索キーとして検索を行うことにより、入力したキー情報を含まないファイルであっても、検索対象とすることができ、所望のファイルを効率良く検索することができるという効果が得られる。
【０００８】
また、請求項２に係る発明によれば、関連性評価指数を設定する項目として、ファイル中に使用されている文字列の使用頻度、頁番号、ファイル種類、登録年月日の少なくとも何れか１つを設定することにより、新たな検索キーを自動生成して、関連性のあるファイルを効率よく検索することができるという効果が得られる。
さらに、請求項３に係る発明によれば、時系列的に登録されたファイルを自己相関関数が零となる乱数を用いて初期検索順序を設定し、数回検索を繰り返した結果により、検索速度を向上させることができるという効果が得られる。
【発明を実施するための最良の形態】
【０００９】
以下、本発明の実施の形態を図面に基づいて説明する。
図１は、本発明の一実施形態を示すシステム構成図であって、多数のファイルを格納しているデータベースサーバＤＢと、このデータベースサーバ１にローカルエリアネットワーク（ＬＡＮ）ＮＷを介して複数例えば３台のクライアント端末ＣＴ１〜ＣＴ３とネットワークプリンタＰＲとイメージスキャナＩＳとが接続されている。
【００１０】
データベースサーバＤＢは、図２に示すように、中央処理装置（ＣＰＵ）１と、この中央処理装置ＣＰＵにデータバスＢＵを介して接続されたデータベースを制御するプログラムを記憶したＲＯＭ２と、データベース制御時のデータを記憶するＲＡＭ３と、キーボードやマウス等で構成されるデータ入力部４と、画像及び文字等の表示データを表示するディスプレイ５と、ハードディスクを制御するハードディスク制御回路６と、ローカルエリアネットワークＮＷに接続するための通信インタフェース７とを備えている。
【００１１】
データベースサーバＤＢの中央処理装置１では、自己のデータ入力部４から入力されるファイルやクライアント端末ＣＴ１〜ＣＴ３から入力される電子データで構成されるプログラムファイルや文書ファイルをＰＤＦファイルに変換してデータベースに時系列データとして格納すると共に、データベースに格納されたＰＤＦファイルを検索する図３に示すファイル検索処理を実行する。
【００１２】
このファイル検索処理は、先ず、ステップＳ１で、クライアント端末ＣＴｊ（ｊ＝１，２，３）からファイル検索要求を受信したか否かを判定し、ファイル検索要求がないときにはファイル検索要求があるまで待機し、ファイル検索要求があったときにはステップＳ２に移行して、該当するクライアント端末ＣＴｊに対して検索キーとしてのキーワードや検索条件を入力する初期検索条件入力画面を表示する表示画面情報を送信する。ここで、初期検索条件入力画面は、図４に示すように、初期検索キーとしてキーワードを入力するキーワード入力欄１１と、ＡＮＤ条件及びＯＲ条件を選択する検索条件選択欄１２と、検索を実行する検索実行ボタン１３とが形成されている。ここで、キーワード入力欄１１には複数のキーワードをスペースを介して入力することができ、入力された複数のキーワードのＡＮＤ条件及びＯＲ条件を検索条件選択欄１２で選択する。
【００１３】
次いで、ステップＳ３に移行して、検索実行ボタン１３が選択されたか否かを判定し、検索実行ボタンが選択されていないときにはこれが選択されるまで待機し、検索実行歩単が選択されたときには、ステップＳ４に移行する。
このステップＳ４では、データベース中の検索対象となるファイル（全ファイル数：Ｋ）を登録の時系列に応じて、ソートをかけ自己相関関数がゼロとなる乱数ｋｉ（０≦ｋｉ≦１：ｉ＝１〜Ｎ）を発生させ、これらを小さい順に、ｋｈ（ｈ＝１〜Ｎ）として並び替える。
次いで、ステップＳ５に移行して、検索方向としてＩＮＴ（ｋｈ×Ｋ）番目からＩＮＴ（ｋｈ−１×Ｋ）番目＋１までのファイルに対して検索条件と一致するファイルを検索する。
【００１４】
次いで、ステップＳ６に移行して、検索条件と一致するファイルが抽出されたか否かを判定し、検索条件と一致するファイルが抽出されたときには、ステップＳ７に移行して、抽出されたファイルから関連性評価指数を計算する。この関連性評価指数の計算は、抽出されたファイルに含まれる固有名詞から使用頻度の高い順に所定数Ｍ個（例えば３個）抽出すると共に、頁番号、登録日時、ファイル種類を抽出し、これらを関連性検索キーとして設定してからステップＳ８に移行し、検索条件と一致するファイルが抽出されないときには直接ステップＳ８に移行する。
ステップＳ８では、全てのファイルについて検索が終了したか否かを判定し、検索が終了していないファイルがあるときにはステップＳ９に移行して、次の検索区間を指定して検索条件と一致するファイルを検索してから前記ステップＳ６に移行し、全てのファイルについて検索が終了したときには、ステップＳ１０に移行する。
【００１５】
このステップＳ１０では、検索によって抽出されたファイルのキーワードが記載されている文面データと、Ｍ個の使用頻度の高い文字列、頁番号、登録日時、ファイル種類で表される関連性検索キーとを表示する検索結果画面の表示情報をクライアント端末ＣＴｊに送信する。ここで、検索結果表示画面は、図５に示すように、検索結果を表示する検索結果表示部２１と、この検索結果表示部２１の下側に形成された検索結果ファイル表示ボタン２２及び検索条件追加画面選択ボタン２３とで構成されている。検索結果表示部２１は、キーワードが記載されている文面データを表示する文面データ表示欄２４と、頁番号表示欄２５と、登録年月日を表示する登録年月日表示欄２６と、出現頻度の高い文字列をＮ個出現頻度の高い順に表示する高出現頻度文字列表示欄２７と、文面データ表示欄２４の左側に配設したファイル選択チェックボックス２８とで構成されている。
【００１６】
次いで、ステップＳ１１に移行して、検索結果ファイル表示ボタン２２が選択されているか否かを判定し、検索結果ファイル表示ボタン２２が選択されているときにはステップＳ１２に移行して、ファイル選択チェックボックス２８が選択されているか否かを判定し、チェックボックス２８が選択されていないときにはステップＳ１３に移行して、チェックボックス２８の何れかを選択することを促すガイダンス情報を表示してから前記ステップＳ１１に戻り、チェックボックス２８が選択されているときにはステップＳ１４に移行して、チェックボックス２８で選択されているファイルの表示データをクライアント端末ＣＴｊに送信してから前記ステップＳ１に戻る。
【００１７】
また、前記ステップＳ１１の判定結果が、検索結果ファイル表示ボタン２２が選択されていないときにはステップＳ１５に移行して、検索条件追加画面選択ボタン２３が選択されているか否かを判定し、検索条件追加画面選択ボタン２３が選択されていないときには前記ステップＳ１１に戻り、検索条件追加画面選択ボタン２３が選択されているときにはステップＳ１６に移行する。
【００１８】
このステップＳ１６では、図６に示す追加条件入力画面を表示する表示情報をクライアント端末ＣＴｊに送信する。この追加条件入力画面は、選択された文面データ、頁番号、登録月日、高出現頻度文字列を表示するファイルデータ表示欄３０と、元入力キーを有効とするか無効とするかを表す元入力キー有効フラグ設定用チェックボックス３１と、追加キーの各項目を有効とするか無効とするかを表示する追加キー有効フラグ設定用チェックボックス３２ａ〜３２ｅと、元入力キーを表示する元入力キー表示欄３３と、頁条件を設定する頁条件設定欄３４と、登録日条件を設定する登録日条件設定欄３５と、元入力キー、追加キーとしての頁番号、登録月日、高出現頻度文字列に対するソート条件の重み係数を入力する重み係数入力欄３６ａ〜３６ｆと、検索実行ボタン３７とが形成されている。
【００１９】
次いで、ステップＳ１７に移行して、検索実行ボタン３７が選択されたか否かを判定し、検索実行ボタン３７が選択されていないときにはこれが選択されるまで待機し、検索実行ボタン３７が選択されたときにはステップＳ１８に移行して、追加検索条件に従ってデータベースを検索して該当するファイルを抽出し、次いで、ステップＳ１９に移行して、抽出結果を追加検索条件に応じたソートを行ってからステップＳ２０に移行して、ソート結果を表示する表示情報を形成し、これをクライアント端末ＣＴｊに送信してから前記ステップＳ１に戻る。
この図３のファイル検索処理において、ステップＳ１〜Ｓ６，Ｓ８，Ｓ９の処理が初期検索手段に対応し、ステップＳ７の処理が関連性評価指数作成手段に対応し、ステップＳ１０の処理が表示手段に対応し、ステップＳ１６の処理が関連性評価指数指定手段に対応し、ステップＳ１８の処理が関連性検索キー検索手段に対応している。
【００２０】
次に、上記実施形態の動作を説明する。
今、データベースサーバＤＢのデータベースに、例えば製鉄所における各種制御機器の作動プログラムや文書データが頁単位のＰＤＦファイルとして多数格納されているものとする。
このデータベースサーバＤＢに対してクライアント端末ＣＴｊからデータベースにアクセスして検索を行うには、先ず、クライアント端末ＣＴｊからファイル検索要求をデータベースサーバＤＢに対して送信すると、データベースサーバＤＢでは図３に示すファイル検索処理を実行しているので、ファイル検索要求を受信すると、ステップＳ１からステップＳ２に移行して、図４に示す初期検索条件入力画面を表示する表示情報を該当するクライアント端末ＣＴｊに送信する。
【００２１】
このため、クライアント端末ＣＴｊでは、データベースサーバＤＢからの表示情報を受信すると、そのディスプレイに図４に示す検索条件入力画面が表示されるので、この検索条件入力画面におけるキーワード入力欄１１に検索キーとしてキーボードから例えば文字列「ＡＡＡ」を入力してから検索実行ボタン１３へマウス又はキーボードでカーソルを移動させてマウスで左クリックをするか又はキーボードの実行キーを押下することにより、検索実行ボタン１３を選択すると、図３のファイル検索処理でステップＳ３からステップＳ４に移行する。
【００２２】
このため、データベースのファイルを自己相関関数がゼロとなる乱数ｋｉを発生させることにより、乱数の小さい順に並び替え（ステップＳ４）、並び替えたファイルの所定区間を入力されたキーワード「ＡＡＡ」で検索し、キーワードと一致する文字列を有するファイルを抽出すると、ステップＳ７に移行して、関連性評価指数を算出する。この関連性評価指数は、ファイルの頁番号、ファイルの登録年月日、抽出されたファイルに含まれる文字列の内出現頻度の高いものから順に３つを選択する。
【００２３】
この検索処理を全ての検索区間で繰り返した後、検索結果の一覧を表示する検索結果画面の表示情報をクライアント端末ＣＴｊに送信することにより、このクライアント端末ＣＴｊのディスプレイに図５に示す検索結果表示画面を表示する。
この検索結果表示画面では、キーワード「ＡＡＡ」を含む文面データが文面データ表示欄２４に表示されると共に、関連性検索キーとしてファイルの頁番号、登録年月日及び３つの高出現頻度文字列が夫々頁番号表示欄２５、登録年月日表示欄２６及び高出現頻度文字列表示欄２７に表示される。
したがって、クライアント端末ＣＴｊのオペレータが検索結果表示画面の文面データ表示欄２４に表示された文面データのうちから所望の文面データが存在する場合には、検索結果ファイル表示ボタン２２をマウス又はキーボードで選択することにより、該当する文面データを含むＰＤＦファイルをディスプレイに表示する。
【００２４】
ところが、オペレータが表示された検索結果表示画面の文面データから所望のファイルを絞りきれないときには、表示されている文面データのうちオペレータが関連性検索キーが一番近いと思われる文面データのチェックボックス２８にマウス又はキーボードでチェックを入れてから条件追加画面選択ボタン２３をマウス又はキーボードで選択する。これにより、図３の処理において、ステップＳ１５からステップＳ１６に移行し、追加条件入力画面の表示情報をクライアント端末ＣＴｊに送信し、クライアント端末ＣＴｊで図６に示す追加条件入力画面が表示される。このとき、オペレータが検索結果表示画面で文面データに対するファイル選択チェックボックス２８の選択を忘れた場合には、ステップＳ１２からステップＳ１３に移行して、チェックボックス２８の選択を促すガイダンス情報をディスプレイに表示してからステップＳ１１に戻ることにより、文面データの選択を確実に行う。
【００２５】
したがって、オペレータが、追加条件入力画面で、検索条件入力画面で入力したキーワード「ＡＡＡ」をそのまま使うか否か及び関連性検索キーとして頁番号、登録年月日、出現頻度文字列を使用するか否かを判断し、これらに対応する元入力キー有効フラグ設定用チェックボックス３１、頁番号、登録年月日及び高出現頻度文字列に対応する追加キー有効無効フラグ用チェックボックス３２ａ〜３２ｅの内必要とするチェックボックスにチェックを入れる。図６の例では、元入力キー有効フラグ用チェックボックス３１、登録年月日用有効無効フラグ用チェックボックス３２ｂ、高出現頻度文字列の内上位２つに対応するチェックボックス３２ｃ及び３２ｄにチェックを入れている。
【００２６】
そして、登録日条件設定欄３５に必要とする登録日の期間を入力し、さらにソート条件の重み係数を入力する重み係数入力欄３６ａ、３６ｃ、３６ｄ及び３６ｅに所望の重み係数を入力してから検索実行ボタン３７をマウス又はキーボードによって選択する。
これによって、元入力の検索キーとしてのキーワード「ＡＡＡ」に新たな関連性キー即ち登録日の期間、高出現頻度上位２つの文字列「ＡＢＣ」及び「ＣＣＣ」を加えた検索キーのＯＲ条件を満足するファイル検索を行い、該当するファイルをデータベースから抽出してその検索結果を図５の検索結果表示画面と同様の検索結果表示画面としてクライアント端末ＣＴｊのディスプレイに表示する。このとき、検索結果表示画面でのファイル表示は、追加条件入力画面で設定されたソート条件重み係数に基づいて重み係数の大きいものから順に表示されることになり、オペレータの検索対象としたい順位が高い検索条件を満足するものから表示されるので、所望のファイルを効率よく、確実に抽出することができる。なお、同じ値のソート条件重み係数が複数存在する場合には、ソート順序は例えば検索結果の表示順序で表示される。
【００２７】
このように、上記実施形態によると、最初に入力した検索キーとしてのキーワードに基づいて初期検索が行われ、この初期検索時に、該当するファイルが抽出される毎に、抽出されたファイルについて関連性検索キーとなる頁、登録年月日、高出現頻度文字列を関連性評価指数として算出することにより関連性検索キーを自動生成し、その結果を検索結果表示画面に表示するので、この検索結果表示画面で目的とする検索結果が得られない場合に、追加条件入力画面で関連性検索キーを新たな検索キーとして追加して検索することにより、目的とするファイルを効率よく且つ正確に抽出することができる。
しかも、初期検索時に自己相関関数が零の乱数を発生させて、これに基づいてデータベースのファイルの並び替えを行うようにしているので、検索速度を向上させることができる。
【００２８】
また、ファイルが頁単位で登録されていることから、入力したキーワードに関連性の高いキーワードを含む文面データの頁の前後の頁を頁条件設定欄３４に設定したり、関連性の高いキーワードを含む文面データの登録年月日の前後の登録期間を登録日条件設定欄３５に設定したりすることによって、元のファイルが後に編集されて該当するキーワードが削除されたファイルであってもその頁番号又は登録年月日の前後であることが分かっていれば該当するファイルを抽出することができる。
【００２９】
なお、上記実施形態においては、関連性評価指数として頁番号、登録年月日、高出現頻度文字列を設定した場合について説明したが、これに限定されるものではなく、頁番号、登録年月日、高出現頻度文字列の何れか１つ又は複数の組み合わせとしたり、ファイル種類を組み合わせるようにしてもよく、任意の検索キーを組み合わせることができる。
また、上記実施形態においては、データベースサーバＤＢとクライアント端末ＣＴ１〜ＣＴ３とがローカルエリアネットワークＮＷを介して接続されている場合について説明したが、これに限定されるものではなく、データベースサーバＤＢとクライアント端末ＣＴ１〜ＣＴ３とを専用回線や電話回線網あるいはインターネットを介して接続するようにしてもよい。
【００３０】
さらに、上記実施形態においては、データベースのファイルを自己相関関数が零となる乱数を使用して並び替えを行ってから検索する場合について説明したが、これに限定されるものではなく、データベースに登録された時系列のままで検索するようにしてもよい。
さらにまた、上記実施形態においては、データベースにファイルをＰＤＦファイルとして格納する場合について説明したが、これに限定されるものではなく、ファイルをデータベースに任意のファイル形式で格納するようにしてもよい。
【図面の簡単な説明】
【００３１】
【図１】本発明の一実施形態を示すシステム構成図である。
【図２】データベースサーバのシステム構成を示すブロック図である。
【図３】データベースサーバの中央処理装置で実行するファイル検索処理手順の一例を示すフローチャートである。
【図４】検索条件入力画面を示す説明図である。
【図５】検索結果画面を示す説明図である。
【図６】追加検索条件入力画面を示す説明図である。
【符号の説明】
【００３２】
ＤＢ…データベースサーバ、ＮＷ…ローカルエリアネットワーク、ＣＴ１〜ＣＴ３…クライアント端末、ＰＲ…ネットワークプリンタ、ＩＳ…イメージスキャナ、１…中央処理装置、２…ＲＯＭ、３…ＲＡＭ、４…データ入力部、５…ディスプレイ、６…ハードディスク制御回路、７…通信インタフェース、１１…キーワード入力欄、１２…検索条件選択欄、１３…検索実行ボタン、２１…検索結果表示欄、２２…検索結果ファイル表示ボタン、２３…検索条件追加画面選択ボタン、２４…文面データ表示欄、２５…頁番号表示欄、２６…登録年月日表示欄、２７…高出現頻度文字列表示欄、３０…ファイルデータ表示欄、３２ａ〜３２ｅ…追加キー有効フラグ設定用チェックボックス、３４…頁条件設定欄、３５…登録年月日条件設定欄、３６ａ〜３６ｆ…ソート条件重み係数入力欄
【図１】
2005293165.tif 000003
【図２】
2005293165.tif 000004
【図３】
2005293165.tif 000005
【図４】
2005293165.tif 000006
【図５】
2005293165.tif 000007
【図６】
2005293165.tif 000008